(57)【要約】【課題】  一つのモータで必要な駆動力を賄いつつ、小型であるデジタル一眼レフカメラを提供する。【解決手段】  ミラーボックス側方に配置された、着脱可能な電池を収納するための電池収納部の上部空間に、出力軸が撮影光軸に直交する向きにモータを配置する。【選択図】  図３
2006215328.tif 000002
【特許請求の範囲】
【請求項１】
クイックリターンミラーを内部に備えるミラーボックスと、
該ミラーボックス側方に配置された電池収納部と、
少なくとも前記クイックリターンミラーを駆動するモータとを備え、
前記モータは、前記電池収納部の上部であって、出力軸が撮影光軸に直交する向きに配置されていることを特徴とするデジタル一眼レフカメラ。
【請求項２】
前記モータは、更に、シャッタ羽根のチャージ駆動を行うことを特徴とする請求項１に記載のデジタル一眼レフカメラ。
【請求項３】
前記モータは、更に、内蔵ストロボを収納位置から発光位置へ移動させる駆動を行うことを特徴とする請求項１に記載のデジタル一眼レフカメラ。
【請求項４】
前記モータは、断面が非円形形状であって、断面高さが最小となる方向と、前記電池収納部の上下方向とが一致するように配置されていることを特徴とする請求項１に記載のデジタル一眼レフカメラ。
【請求項５】
クイックリターンミラーを内部に備えるミラーボックスと、
該ミラーボックス側方に配置された電池収納部と、
モータとを備え、
前記モータは、前記電池収納部の上部であって、出力軸が撮影光軸に直交する向きに配置されており、
第１の回転方向に回転することにより、前記クイックリターンミラーの駆動とシャッタ羽根のチャージ駆動を行い、
前記第１の回転方向とは逆の第２の回転方向に回転することにより、内蔵ストロボを収納位置から発光位置へ移動させる駆動を行うことを特徴とするデジタル一眼レフカメラ。
【発明の詳細な説明】
【技術分野】
【０００１】
本発明は、デジタル一眼レフカメラに関し、特にクイックミラーを駆動するためのモータの配置に関するものである。
【背景技術】
【０００２】
一眼レフカメラを小型にするため、モータやコンデンサといったカメラを構成する要素を、カメラ内部に如何に配置するかについて、さまざまな提案がなされている。
【０００３】
例えば、モータに関しては、ミラーボックスの側面のスプール室側に、モータの出力軸が撮影光軸と直交するように配置されている一眼レフカメラが提案されている（例えば特許文献１を参照）。
【０００４】
また、内蔵ストロボを駆動するためのコンデンサについて、複数の円筒形コンデンサを、１つはバッテリとともにカメラのグリップ部内に配置するとともに、他をグリップ部内以外であるカメラボディ内に配置するといった、同種の構成要素でも分割してレイアウトするといった工夫がなされた一眼レフカメラが提案されている（例えば特許文献２を参照）。
【特許文献１】実開平２−３９２３６号公報
【特許文献２】特開平９−８０６０３号公報
【発明の開示】
【発明が解決しようとする課題】
【０００５】
一般に一眼レフカメラを小型化する場合には、撮影光束をファインダ光学系に導くためのクイックリターンミラーと、これを囲うミラーボックスの配置による制約から、カメラを構成する要素のレイアウトについてそれ程自由度はなかった。特にフィルムを用いる銀塩一眼レフについては、さらにフィルムを収納するためのスプール室やパトローネ室が、撮影光軸に対して所定の位置に配置される必要があるため、他の構成要素については必然的に所定の位置にレイアウトされていた。
【０００６】
近時、一眼レフカメラがデジタル化され、フィルムの代わりに撮像素子を用いて被写体像を撮影できるようになってきている。しかし、カメラを構成する要素のレイアウトは、銀塩一眼レフカメラからの慣習を継承しており、決してデジタル一眼レフカメラにとって最適なものではなかった。
【０００７】
上述の特許文献１におけるカメラは銀塩一眼レフカメラであり、モータのレイアウトはフィルム収納部に拘束されている。
【０００８】
本発明は上記問題点に鑑みてなされたものであり、その目的とするところは、一つのモータで必要な駆動力を賄うことができるモータの配置を最適化した小型のデジタル一眼レフカメラを提供することにある。
【課題を解決するための手段】
【０００９】
上記の目的を達成するために、本発明のデジタル一眼レフカメラは、クイックリターンミラーを内部に備えるミラーボックスと、該ミラーボックス側方に配置された電池収納部と、少なくとも前記クイックリターンミラーを駆動するモータとを備え、前記モータは、前記電池収納部の上部であって、出力軸が撮影光軸に直交する向きに配置されていることを特徴とする。
【００１０】
また、本発明の別の態様であるデジタル一眼レフカメラは、クイックリターンミラーを内部に備えるミラーボックスと、該ミラーボックス側方に配置された電池収納部と、モータとを備え、前記モータは、前記電池収納部の上部であって、出力軸が撮影光軸に直交する向きに配置されており、第１の回転方向に回転することにより、前記クイックリターンミラーの駆動とシャッタ羽根のチャージ駆動を行い、前記第１の回転方向とは逆の第２の回転方向に回転することにより、内蔵ストロボを収納位置から発光位置へ移動させる駆動を行うことを特徴とする。
【発明の効果】
【００１１】
本発明によれば、デジタル一眼レフカメラを駆動するモータについて、最適に配置することが可能となるため、一つのモータで必要な駆動力を賄いつつ、カメラの全体の大きさを小型にすることができる。特に、デジタルカメラに一般的に用いられる２次電池などの、電池を収納する空間との関係においてモータの配置を規定するので、無駄のない空間利用が可能となり、より小型化に貢献するものである。
【発明を実施するための最良の形態】
【００１２】
以下、本発明の実施例について図面を参照しながら説明する。
【００１３】
図１は、本発明の一実施例に係わるデジタル一眼レフカメラの斜視図である。図１において、１はカメラ本体を表す。２は撮影を指示するレリーズボタン、３は内蔵ストロボであり、本斜視図は、内蔵ストロボ３が発光位置に移動している状態を示す。内蔵ストロボ３は、不図示のストロボアップバネで発光位置方向に付勢されており、収納位置においては、ストロボ緊定フック４がストロボ緊定部５に係止されることで、閉じ状態に保持される。動作の詳細については、後述する。
【００１４】
６はミラーボックスであり、撮影光束をファインダ光学系に反射して導くためのクイックリターンミラー７が駆動する空間を撮影光軸方向に囲う形で配置されている。通常は撮影光束が内面反射を起こさないように、その表面は遮光紙等により処理されている。
【００１５】
図２は、外装部品を取り除いたデジタル一眼レフカメラの内部機構の前面図であり、図３は、内部機構の斜視図である。また、図４は、内部機構の主要ユニットの分解斜視図である。なお、図１と同一の要素については、同符号を付している。
【００１６】
図２乃至図４において、８はクイックリターンミラー７で反射した撮影光束をさらに接眼部に反射するペンタミラーであり、通常はプリズムやミラーの貼り合わせにより構成されている。９はミラーボックスなどの構造体や外装部品を固定・支持するためのメインベースプレートであり、プレス加工等により成形されるものである。１０はクイックリターンミラー７を駆動し、内蔵ストロボ３をポップアップし、シャッタユニット１２のシャッタ羽根（後述）をチャージさせるためのモータであり、その出力軸は後述のギアトレイン部に接続されている。モータ１０は、モータ地板１１を介してミラーボックス６の側面に固定される。１３は電池を収納するための電池収納部であり、１４はカメラ本体に対し着脱可能である電池を表す。なお、図２乃至図４における電池１４は、電池収納部１３に収納された状態を表している。電池収納部１３は、メインベースプレート９に固定される。
【００１７】
ここで、モータ１０は図示するように、電池収納部１３の上部であって、モータ出力軸をミラーボックス６に直交するように、すなわち撮影光軸と直行する方向に配置されている。なお、モータ外形は、電池収納部１３の上面に倣う形に略小判型をした異型形状をしている。このようなモータを採用することで、モータの出力軸と電池収納部上面との間隔を縮めることが可能となる。
【００１８】
図５は、ミラーボックス６の周辺の構成を詳細に示す分解斜視図である。
【００１９】
ミラー受板４１は、クイックリターンミラー７を保持し、クイックリターンミラー７と一体になって駆動される部材である。
【００２０】
シャッタユニット１２内のシャッタ羽根４５は、露光時の走行方向に不図示のバネで付勢されており、後述のチャージ動作とバネ開放動作により開閉動作を行う。
【００２１】
なお、図５においては、図２乃至図４には図示していなかったストロボ緊定フック４を含むストロボギアユニット５５を図示している。このストロボギアユニットは、後述のようにモータ１０の駆動力を伝達し、ポップアップ方向に不図示のバネで付勢された内蔵ストロボ３を収納位置で保持するストロボ緊定フック４を開放して、内蔵ストロボ３をポップアップさせるものである。
【００２２】
図６乃至図８は、ミラーボックス６の側面に配置されたギアの動作を説明する図である。
【００２３】
２１はピニオンギアであり、モータ１０の出力軸に固着されている。２２はモータ減速ギアであり、２３の太陽ギアにモータ駆動力を伝達する。２４は遊星ギアであり、太陽ギア２３周りを所定角の範囲で公転する。
【００２４】
２５はミラー減速ギアであり、２６はミラー伝達ギアであり、２７はミラーカムギアであって、これらのギアによってミラー駆動レバー３０が駆動され、クイックリターンミラー７の上下動を行う。なお、ミラーアップスプリング３２とミラーダウンスプリング３３の作用により、駆動状態に応じてそれぞれの方向に付勢される。
【００２５】
２８はシャッタ伝達ギアであり、２９はシャッタカムギアであって、これらのギアを介したモータ１０の駆動力と、シャッタ駆動レバー３１とシャッタ駆動レバースプリング３４との作用によって、シャッタ羽根４５の開閉動作を行う。
【００２６】
ピニオンギア２１以外のギアとレバーは、遊星ギア２４を除いて、ミラーボックス６に一体的に形成されている軸に、各々回転可能に軸支されており、ミラーボックス６にビス止めされているモータ地板１１により挟みこまれている。
【００２７】
次に、図６乃至図８を用いて、カメラ１の一連の動作の流れについて説明する。図６はスタンバイ状態を表しており、図７はミラーアップ状態を表しており、図８はストロボアップ駆動状態を表している。
【００２８】
図６において、スタンバイ状態とは、ミラーダウンおよびシャッタチャージが終了した状態である。ミラー駆動レバー３０は、ミラーアップスプリング３２によりミラーアップ方向、図中では時計周り方向に付勢されているが、ミラーカムギア２７のカム部２７ａのカムトップ位相と当接しており、ミラーダウン状態を保持している。
【００２９】
クイックリターンミラー７はミラー受板４１に固定され、ミラー受板４１は、ミラー受板回転軸４２を中心にミラーボックス６に対して回転可能に軸支されている。また、クイックリターンミラー７は、ミラー受板４１のミラー受板駆動軸４３が、ミラー駆動レバー３０とミラーダウンスプリング３３の間に挟み込まれて保持されているため、ミラー駆動レバー３０の動作により、ミラーアップまたはミラーダウンする。
【００３０】
レリーズボタン２を撮影者が撮影指示のために押すと、モータ１０は逆転方向に回転するように通電され、すなわちピニオンギア２１は、図中で時計周りに回転し、モータ減速ギア２２、太陽ギア２３、遊星ギア２４、ミラー減速ギア２５、ミラー伝達ギア２６、ミラーカムギア２７の順に駆動力が伝達され、ミラーカムギア２７は時計回り方向に回転する。さらに、シャッタ伝達ギア２８、シャッタカムギア２９と駆動力が伝達され、シャッタカムギア２９も、時計周り方向に回転する。
【００３１】
ミラーカムギア２７が時計回り方向に回転すると、ミラー駆動レバー３０とミラーカムギア２９のカム部２７ａとの当接位置は、カムトップからカムボトムに移動し、ミラー駆動レバー３０はミラーアップスプリング３２によって付勢されているため、時計回り方向に回転する。それにより、ミラー駆動レバー３０とミラーダウンスプリング３３の間で保持されているミラー受板駆動軸４３が上方向に移動し、クイックリターンミラー７がミラーアップ状態になる。尚、ミラーアップ状態が完了すると、モータ１０への通電を中止し、モータ１０は停止する。
【００３２】
シャッタ駆動レバー３１も、同様に、シャッタカム２９の時計周り方向の回転駆動によって、時計周り方向に回転し、シャッタユニット１２を駆動し、シャッタ羽根４５を露光走行可能な状態とする。
【００３３】
図７におけるミラーアップ状態とは、シャッタ羽根４５の露光走行待ちの状態である。シャッタ羽根４５が露光走行後、モータ１０は逆転方向に回転するように通電され、その結果、ミラーカムギア２７とシャッタカムギア２９は、前述と同様に時計回り方向に回転する。
【００３４】
ミラーカムギア２７が時計回り方向に回転すると、ミラー駆動レバー３０とミラーカムギア２９のカム部２７ａとの当接位置は、カムボトムからカムトップに移動し、ミラー駆動レバー３０はミラーアップスプリング３２の付勢力に抗して、反時計回り方向に回転する。それにより、ミラー駆動レバー３０とミラーダウンスプリング３３の間で保持されているミラー受板駆動軸４３が下方向に移動し、クイックリターンミラー７がミラーダウン状態になる。
【００３５】
シャッタ駆動レバー３１も、同様に、シャッタカム２９の時計周り方向回転によって、反時計周り方向に回転し、シャッタユニット１２を駆動し、シャッタ羽根４５の付勢バネ力に抗して、スタンバイ状態とする。なお、シャッタユニット１２のスタンバイ状態への移行が完了すると、モータ１０への通電を中止し、モータ１０は停止する。すなわち、図６の状態に復帰する。
【００３６】
図８の状態は、ストロボアップ駆動状態である。図６に示すスタンバイ状態において、レリーズボタン２が押され、被写体の条件により内蔵ストロボ３の発光が必要であると不図示のＣＰＵが判断した場合や、撮影者の意図により不図示の内蔵ストロボアップボタンが押された場合には、モータ１０は正転方向に回転するように通電される。すなわちピニオンギア２１は、図中で反時計周りに回転し、モータ減速ギア２２、太陽ギア２３と駆動力が伝達され、太陽ギア２３は反時計方向に回転する。それにより、遊星ギア２４は、ミラー減速ギア２５との噛合いから外れ、反時計方向に公転し、ストロボ減速ギア５１と噛合い、駆動力を伝達する。ストロボ減速ギア５１はストロボカムギア５２に駆動力を伝達し、ストロボカムギア５２は、時計回り方向に回転する。
【００３７】
ストロボカムギア５２が時計周り方向に回転すると、不図示のカム部がストロボ緊定フック４の緊定フックカム当接部４ａと当接して下方向に押し下げ、ストロボ緊定フック４は反時計方向に回転する。この動作により、ストロボ緊定フック４とストロボ緊定部５との係止が外れ、不図示の付勢バネによってアップ方向に付勢された内蔵ストロボ３は、発光位置まで押し上げられる。
【００３８】
上述のように本実施例においては、銀塩一眼レフカメラであればスプール室が存在していた空間に、電池収納部１３を配置するとともに、この電池収納部１３の上部に生じる空間に、モータ１０を出力軸が撮影光軸に直行する向きに配設することで、カメラの構成要素のレイアウトのための空間を有効に利用しつつ、クイックリターンミラー７の駆動動作、シャッタ羽根４５の開閉動作および内蔵ストロボ３のポップアップ動作を一つのモータで効率よく行うことが可能である。
【００３９】
本実施例においては、被写体側からカメラを見たときの左側に、電池収納部１３とモータ１０を配設したが、これに限らず、右側に両者を配設するように構成してもよい。この場合であっても、銀塩一眼レフカメラであればパトローネ室が占領していた空間を有効に活用することが可能である。
【図面の簡単な説明】
【００４０】
【図１】本発明の実施例に係わるデジタル一眼レフカメラの斜視図である。
【図２】図１に示すカメラの外装部品を取り除いた内部機構の前面図である。
【図３】図１に示すカメラの外装部品を取り除いた内部機構の斜視図である。
【図４】図１に示すカメラの外装部品を取り除いた内部機構の主要ユニットの分解斜視図である。
【図５】ミラーボックスの周辺の構成を詳細に示す分解斜視図である。
【図６】図１に示すカメラのミラーボックス側面図であって、スタンバイ状態を表す図である。
【図７】図１に示すカメラのミラーボックス側面図であって、ミラーアップ状態を表す図である。
【図８】図１に示すカメラのミラーボックス側面図であって、ストロボアップ駆動状態を表す図である。
【符号の説明】
【００４１】
３  内蔵ストロボ
４  ストロボ緊定フック
５  ストロボ緊定部
６  ミラーボックス
７  クイックリターンミラー
１０  モータ
１３  電池収納部
４５  シャッタ羽根
【図１】
2006215328.tif 000003
【図２】
2006215328.tif 000004
【図３】
2006215328.tif 000005
【図４】
2006215328.tif 000006
【図５】
2006215328.tif 000007
【図６】
2006215328.tif 000008
【図７】
2006215328.tif 000009
【図８】
2006215328.tif 000010